【事件の表示】
　特願２０１２−５１２４７９号「光源を囲むエンベロープを具備する照明装置」拒絶査定不服審判事件〔平成２２年１２月　２日国際公開、ＷＯ２０１０／１３６９２０、平成２４年１１月１２日国内公表、特表２０１２−５２８４３９号、請求項の数（１０）〕について、次のとおり審決する。
【結　論】
　原査定を取り消す。
　本願の発明は、特許すべきものとする。
【理　由】
第１　手続の経緯
　この出願は、２０１０年５月７日（パリ条約による優先権主張外国庁受理２００９年５月２８日、（ＥＰ）欧州特許庁、２００９年７月２２日、（ＥＰ）欧州特許庁）を国際出願日とする出願であって、平成２５年１１月２９日付けで拒絶の理由が通知され、平成２６年３月７日に意見書及び手続補正書が提出され、同年７月２３日付けで拒絶の理由（最後の拒絶理由）が通知され、同年１０月３０日に意見書及び手続補正書が提出され、平成２７年２月２４日付けで拒絶査定がなされた。これに対し、同年７月１日に拒絶査定不服審判が請求されるとともに同時に手続補正書が提出され、その後、当審において平成２８年４月２２日付けで拒絶理由（以下「当審拒絶理由１」という。）が通知され、同年１０月２５日に意見書及び手続補正書が提出され、さらに、同年１１月１１日付けで拒絶理由（最後の拒絶理由。以下「当審拒絶理由２」という。）が通知され、平成２９年２月２１日に意見書及び手続補正書が提出されたものである。
第２　本願発明
　本願の特許を受けようとする発明は、平成２９年２月２１日に提出された手続補正書により補正された特許請求の範囲の請求項１〜１０に記載された事項により特定されるとおりのものと認められるところ、本願の請求項１に係る発明（以下「本願発明」という。）は以下のとおりである。
　「光源光を生成するＬＥＤ光源を囲むエンベロープを有する照明装置であって、
前記照明装置は、光源光の少なくとも一部を吸収し発光材料光を放射する発光材料を有し、
　前記エンベロープは、光源光の少なくとも一部及び発光材料光の少なくとも一部を透過し、これにより透過部分の下流に照明装置光を供給する当該透過部分と、光源光の少なくとも一部及び発光材料光の少なくとも一部を反射する反射部分とを有し、前記透過部分は透過セラミック材料を有し、前記反射部分は反射セラミック材料を有し、
　前記発光材料を有する透過中間窓は、前記ＬＥＤ光源の下流且つ前記透過部分の上流に、前記ＬＥＤ光源及び前記透過部分から離隔して配置され、
　前記透過部分は、半透明である、
照明装置。」
第３　原査定の理由について
１　原査定の理由の概要
　この出願の請求項１〜１０に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
刊行物等
　引用文献１：　特開２００７−２３４６３９号公報
　引用文献２：　特開２００６−４９４１０号公報
　引用文献３：　特開２００１−２４３８０９号公報
２　原査定の理由の判断
（１）　刊行物等の記載事項
　引用文献１には、次の事項が記載されている（下線は当審で付与。以下同様。）。
（１ａ）　「【０００１】
　本発明は、
発光素子が発する光を外部に効率よく放射する発光装置および照明装置に関する。
（１ｂ）　「【００１２】
　
本発明の発光装置について以下に詳細に説明する。図１または図２はそれぞれ本発明の発光装置の実施の形態の一例を示す断面図である。
１は配線基板、２は配線基板１の上面に搭載された発光素子、３は反射部材の内側に配された発光素子２からの光を波長変換する波長変換部材、４は発光素子２を取り囲むように設けられた反射部材であり
…
【００１４】
　そして、配線基板１および反射部材４の少なくとも一方は、アルミナセラミックスから成り、かつアルミナセラミックスには賦活材としてのマンガン（Ｍｎ），ユウロピウム（Ｅｕ），セリウム（Ｃｅ），テルビウム（Ｔｂ），ネオジム（Ｎｄ）が添加（ドープ）されて蛍光性のアルミナセラミックスとされている。すなわち、配線基板１のみがアルミナセラミックスから成り、または反射部材４のみがアルミナセラミックスから成り、または
配線基板１および反射部材４双方がアルミナセラミックスから成り、このアルミナセラミックスに賦活材が添加されている。この賦活剤は、発光素子２の発する光によって励起されるとともに蛍光を発生させるためのものである。
（１ｃ）　「【００２５】
　配線基板１の上面には、発光素子２を取り囲むように配置された反射部材４が設けられている。反射部材４は、発光素子２から側方に放射される光を、図１または図２に示す
反射部材４の内側もしくは反射部材４の上端開口部に配置された波長変換部材３
反射部材４は、配線基板１とともに蛍光性のアルミナセラミックス（Ａｌ
２
Ｏ
３
）から成ることが好ましい。
（１ｄ）　「【００３０】
　
波長変換部材３は、例えば発光素子２の発する光を波長変換する蛍光体等の波長変換粒子（図示せず）が透明部材に含有されて成る。
【００３１】
　
透明部材は、紫外光領域から可視光領域の光に対して透過率の高い
透明樹脂や、
透明ガラスから成る。
（１ｅ）　「【００３３】
　また、
波長変換部材３は、
発光素子２より離間させて、例えば反射部材４の上端開口部に配置されるのが好ましく、
発光装置より放射される光
…
【００４０】
　
このような発光装置を用いた照明装置
（１ｆ）　引用文献１の図２には以下の図が記載されている。
（２）　刊行物等に記載された発明
　引用文献１には、
ア　発光素子が発する光を外部に効率よく放射する照明装置に関し（摘示（１ａ））、
イ　発光装置は、配線基板１、配線基板１の上面に搭載された発光素子２、反射部材の内側に配された発光素子２からの光を波長変換する波長変換部材３、発光素子２を取り囲むように設けられた反射部材４を有すること（摘示（１ｂ）【００１２】）、
ウ
ａ　反射部材４は、配線基板１とともに蛍光性のアルミナセラミックス（Ａｌ２Ｏ３）から成ること（摘示（１ｃ））、
ｂ　反射部材４のアルミナセラミックスには、発光素子２の発する光によって励起されるとともに蛍光を発生させる賦活材が添加されていること（摘示（１ｂ）【００１４】）、
エ　波長変換部材３は、例えば発光素子２の発する光を波長変換する蛍光体等の波長変換粒子が透明部材に含有されて成ること（摘示（１ｄ）【００３０】）、
オ　透明部材は、紫外光領域から可視光領域の光に対して透過率の高い透明樹脂や透明ガラスから成ること（摘示（１ｄ）【００３１】）、
カ　波長変換部材３は、反射部材４の上端開口部に配置されること（摘示（１ｅ）【００３３】）、
キ　発光装置を照明装置に用いること（摘示（１ｅ）【００４０】）、
が記載されている。
　また、引用文献１において、
ク　摘示（１ｅ）【００３３】の「発光装置より放射される光」との記載及び技術常識より、上記「カ」の波長変換部材３が配置される「上端開口部」が「発光装置より放射される光」を放射する部分であること、
が明らかである。
　これらのことから、引用文献１には次の発明（以下「引用発明１」という。）が記載されていると認められる。
　「配線基板１の上面に搭載された発光素子２、反射部材の内側に配された発光素子２からの光を波長変換する波長変換部材３、発光素子２を取り囲むように設けられた反射部材４を有する発光装置であって、
　反射部材４は、蛍光性のアルミナセラミックスからなり、
　反射部材４の蛍光性のアルミナセラミックスには、発光素子２の発する光によって励起されるとともに蛍光を発生させる賦活材が添加され、
　波長変換部材３は、発光素子２の発する光を波長変換する蛍光体等の波長変換粒子が透明部材に含有されたものであり、
　透明部材は、紫外光領域から可視光領域の光に対して透過率の高い透明樹脂や透明ガラスからなり、
　波長変換部材３は、反射部材４の上端開口部に配置され、
　上端開口部は発光装置より放射される光を放射する部分である、
　発光装置を用いた照明装置。」
（３）対比・判断
ア　本願発明と引用発明１を対比する。
（ア）
ａ　引用発明１の「発光装置を用いた照明装置」は本願発明の「照明装置」に相当し、以下同様に、「発光素子２」は「ＬＥＤ光源」に、「発光素子２からの光」は「光源光」に、「反射部材４」は「反射部分」に、「蛍光性のアルミナセラミックス」及び「波長変換粒子」は「発光材料」にそれぞれ相当する。
ｂ　引用発明１の「波長変換部材３」をなす「透明部材」は本願発明の「透過部分」に相当する。
ｃ　上記「ａ」及び「ｂ」より、引用発明１の「発光素子２を取り囲むように設けられた反射部材４」及び「反射部材４の上端開口部に配置され」た「波長変換部材３」は、本願発明の「光源光を生成するＬＥＤ光源を囲むエンベロープ」に相当する。
（イ）　上記「（ア）」の相当関係より、
ａ　引用発明１の「発光装置を用いた照明装置」をなす「反射部材４」が、「蛍光性のアルミナセラミックスからなり」、「アルミナセラミックスには、発光素子２の発する光によって励起されるとともに蛍光を発生させる賦活材が添加され」ることは、本願発明の「照明装置は、光源光の少なくとも一部を吸収し発光材料光を放射する発光材料を有」することに相当する。
ｂ　引用発明１の「発光装置を用いた照明装置」をなす「波長変換部材３」が、「発光素子２の発する光を波長変換する蛍光体等の波長変換粒子が透明部材に含有され」ることは、本願発明の「照明装置は、光源光の少なくとも一部を吸収し発光材料光を放射する発光材料を有」することに相当する。
ｃ　引用発明１において、「発光装置より放射される光を放射する部分である」「上端開口部に配置され」た「波長変換部材３」は、技術常識からみて、「発光素子２の発する光」、波長変換部材３により「波長変換」された「蛍光」、及び反射部材４の「蛍光」のいずれをも透過するものといえるから、引用発明１の「波長変換部材３」は、本願発明の「光源光の少なくとも一部及び発光材料光の少なくとも一部を透過し、これにより透過部分の下流に照明装置光を供給する当該透過部分」に相当する。
ｄ　引用発明１において、「発光素子２の発する光によって励起されるとともに蛍光を発生させる賦活材が添加され」た「蛍光性のアルミナセラミックスからな」る「反射部材４」は、技術常識及びその形状からみて、「発光素子２の発する光」、反射部材４の賦活材による「蛍光」及び波長変換部材３により「波長変換」された「蛍光」のいずれをも反射するものであるから、引用発明１の「反射部材４」は、本願発明の「光源光の少なくとも一部及び発光材料光の少なくとも一部を反射する反射部分」に相当する。
ｅ　引用発明１の「反射部材４は、蛍光性のアルミナセラミックスからな」ることは、本願発明の「反射部分は反射セラミック材料を有」することに相当する。
イ　以上によれば、本願発明と引用発明１との一致点及び相違点は以下のとおりである。
［一致点１］
　「光源光を生成するＬＥＤ光源を囲むエンベロープを有する照明装置であって、
前記照明装置は、光源光の少なくとも一部を吸収し発光材料光を放射する発光材料を有し、
　前記エンベロープは、光源光の少なくとも一部及び発光材料光の少なくとも一部を透過し、これにより透過部分の下流に照明装置光を供給する当該透過部分と、光源光の少なくとも一部及び発光材料光の少なくとも一部を反射する反射部分とを有し、
　前記反射部分は反射セラミック材料を有する、
照明装置。」
［相違点１］
　透過部分に関し、本願発明では、「透過セラミック材料を有し」「半透明であ」る「透過部分」であるのに対し、引用発明１では、「紫外光領域から可視光領域の光に対して透過率の高い透明樹脂や透明ガラスからな」る「透明部材」である点。
［相違点２］
　本願発明では、「発光材料を有する透過中間窓は、前記ＬＥＤ光源の下流且つ前記透過部分の上流に、前記ＬＥＤ光源及び前記透過部分から離隔して配置され」るのに対し、引用発明１では、そのような構成を有していない点。
ウ　判断
（ア）　相違点１について検討する。
ａ　照明装置の透過部分を「半透明」とすることは、一般に、光源光を透過部分内部で散乱させ、光源を視認しにくくする等の作用を得るものであるが、その反面、光透過性は低下する。
ｂ　引用文献２には、発光ダイオードを、「発光素子の電極部分を除いて全部を光変換用セラミック複合体で被う」ことにより、「発光素子の下面で放出された光をも外に取り出すことができ、光が３６０°の方向に放出」させる技術（以下「引用文献２の技術」という。）が記載されている（【００３８】）。
ｃ　引用文献２の技術の「光変換用セラミック複合体」は、本願発明の「透過セラミック材料」に相当するものである。しかし、当該光変換用セラミック複合体は、「高い光透過に優れた材料」（【０００７】）であると記載されているから、当該光変換用セラミック複合体は「半透明」ではない。
　よって、引用発明１に引用文献２の技術を適用しても相違点１に係る本願発明の構成に至らないことは明らかである。
　また、引用発明１の「透明部材」も「透過率の高い」ものであるから、これを半透明にすること自体、阻害要因があるともいえる。
ｄ　よって、引用発明１に引用文献２の技術を適用して上記相違点１に係る本願発明の構成に想到することは当業者にとって容易とはいえない。
（イ）　相違点２について検討する。
ａ　引用文献２の技術の「光変換用セラミック複合体」は、本願発明における、発光材料と透過部分が一体となったものに相当するから、上記相違点２に係る本願発明の構成のうち、「発光材料を有する透過中間窓は、」「前記ＬＥＤ光源及び前記透過部分から離隔して配置」するという構成を有していない。よって、引用発明１に引用文献２の技術を適用しても相違点２に係る本願発明の構成に至らないことは明らかである。
ｂ　よって、引用発明１に引用文献２の技術を適用して上記相違点２に係る本願発明の構成に想到することは当業者にとって容易とはいえない。
（ウ）　なお、引用文献３は、ＬＥＤ電球の構造に関するものであって、引用文献３には上記相違点１及び２に係る本願発明の構成を開示又は示唆するものではない。
（エ）　以上より、本願発明は、引用発明１、引用文献２及び３の記載事項に基いて当業者が容易に想到し得るものとはいえない。
（４）　小括
　上記「（３）ウ」のとおり、本願発明は、引用発明１、引用文献２及び３の記載事項に基いて当業者が容易に想到し得るものとはいえない。また、本願の請求項２〜１０に係る発明は、本願発明をさらに限定したものであるから、本願発明と同様に、引用発明１、引用文献２及び３の記載事項に基いて容易に発明をすることができたとはいえない。
　よって原査定の理由によっては、本願を拒絶することはできない。
第４　当審拒絶理由について
１　当審拒絶理由の概要
（１）　当審拒絶理由１について
［理由Ａ］この出願は、特許請求の範囲の記載が下記の点で、特許法第３６条第６項第２号に適合するものではなく、特許法第３６条第６項に規定する要件を満たしていない。
［理由Ｂ］この出願の請求項１に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
刊行物等
　引用文献Ａ：　特開２００９−７１２５４号公報
　引用文献Ｂ：　国際公開第２００９／０５２０９３号
　引用文献Ｃ：　国際公開第２００８／１５７０８０号
（２）　当審拒絶理由２について
　この出願は、特許請求の範囲の記載が下記の点で、特許法第３６条第６項第２号に適合するものではなく、特許法第３６条第６項に規定する要件を満たしていない。
　　　　　　　　　　　　　　　　　記
　請求項１の「前記
発光材料は
前記ＬＥＤ光源及び前記透過部分から離隔して配置され
２　当審拒絶理由１（理由Ｂについて）の判断
（１）　刊行物等の記載事項
　引用文献Ａには、次の記載がある。
（Ａａ）　「【０００１】
　本発明は、
ＬＥＤチップ（発光ダイオードチップ）を利用した発光装置に関するものである
（Ａｂ）　「【００２９】
　（実施形態１）
　本実施形態の
発光装置は
、ＬＥＤチップ１が実装基板２
に実装されたＬＥＤユニットＡと、ＬＥＤユニットＡの上記一表面側に配置されＬＥＤチップ１から放射される光の配光を制御する配光レンズ２１を有する配光ユニットＢとを備え、配光ユニットＢに、実装基板２におけるＬＥＤチップ１の搭載面から実装基板２の厚み方向に離間して配置されＬＥＤチップ１から放射される光を配光レンズ２１側へ反射するリフレクタ３１と、リフレクタ３１の内側面側に保持されＬＥＤチップ１から放射された光によって励起されてＬＥＤチップ１の発光色とは異なる色の光を放射する蛍光体を含有した透光性材料により形成された色変換部４１とが設けられ
【００３０】
　なお、本実施形態の発光装置では、
ＬＥＤチップ１として、青色光を放射するＧａＮ系青色ＬＥＤチップを用い
（Ａｃ）　「【００３４】
　
リフレクタ３１は、ＬＥＤチップ１から放射された光や色変換部４１から出射された光が配光レンズ２１側へ反射する
【００３５】
　
リフレクタ３１の材料としては
セラミックを採用してもよく
（Ａｄ）　「【００３８】
　また、
配光レンズ２１は
光入射面が平面状で光出射面が凸曲面状に形成された平凸レンズであり、リフレクタ３１の光取り出し側の開口面を閉塞する形で配置されている
配光レンズ２１は、透光性材料（例えば、アクリル樹脂、ガラスなど）により形成されている
…
【００４０】
　…なお、
ＬＥＤユニットＡと配光ユニットＢとの組を適宜配置
照明器具に応用する場合
（Ａｅ）　引用文献Ａの図１には、以下の図が示されている。
イ　引用文献Ｂには、次の記載がある。なお、翻訳文は、特表２０１１−５０１３６２号公報(以下「公表公報Ｂ」という。)記載の事項を参照して合議体が作成した。
（Ｂａ）　「This invention relates generally to the field of general illumination, and more specifically, to illumination devices using light emitting diodes (LEDs).」（第１ページ第１０行〜同ページ第１１行）
　「
本発明は
発光ダイオード（ＬＥＤ）を備えた照明装置に関する
（Ｂｂ）　「A light emitting device is produced using a plurality of light emitting diodes within a light mixing cavity formed by surrounding sidewalls. …Additionally, one or more phosphors may be located on a window that covers the output port of the illumination device. 」（第２ページ第２行〜同ページ第１３行）
　「発光装置は、周囲の側壁によって形成された光混合孔の内部の複数の発光ダイオードを用いて作成されている。…また、
１つ以上の蛍光体が、照明装置の出力ポートを覆う窓上に配置されてもよい
（Ｂｃ）　「Figs. 1 and 2 illustrate perspective views of an embodiment of a light emitting diode (LED) illumination device 100, where Fig. 2 shows a cut-away view illustrating inside of the LED illumination device 100. …The side walls 110 and board 104 with the reflective plate 106 define a cavity 101 in the LED illumination device 100 in which light from the LEDs 102 is reflected until it exits through an output port 120, although a portion of the light may be absorbed in the cavity. Reflecting the light within the cavity 101 prior to exiting the output port 120 has the effect of mixing the light and providing a more uniform distribution of the light that is emitted from the LED illumination device 100.」（第４ページ第９行〜同ページ第２８行）
　「図１および図２は、実施形態に係る発光ダイオード（ＬＥＤ）照明装置１００の斜視図であり、図２は、ＬＥＤ照明装置１００の内部を示すために一部破断して示す斜視図である。…側壁１１０および反射板１０６を備えた基板１０４は、ＬＥＤ照明装置１００に孔１０１を画成する。
ＬＥＤ１０２から生じた光は、出力ポート１２０を通って外部へと出る
（Ｂｄ）　「The reflective side walls 110 may define the output port 120 through which light exits the illumination device 100. …The output port 120 may include a window 122, which may be transparent or translucent to scatter the light as it exits. …Alternatively, the window 122 may be manufactured from AlO2, either in crystalline form (Sapphire) or on ceramic form (Alumina), which is advantageous because of its hardness (scratch resistance), and high thermal conductivity.」 （第５ページ第２２行〜第６ページ第１行）
　「反射性側壁１１０は、光が照明装置１００から出る際に通過する出力ポート１２０を画成してもよい。…
出力ポート１２０は、窓１２２を含んでよい。窓１２０は、透明または光が通過する際に散乱させるべく半透明であってよい
窓１２２は、
セラミック形態（アルミナ）のAlO
2
から製造され得る
（Ｂｅ）　「Additionally, if desired, the sidewall insert 110sidewall insert may be coated or impregnated (if sidewall insert 110sidewall insert is manufactured from plastic, ceramic, glass or other appropriate material) with one or more wavelength converting materials and/or highly diffuse reflective coatings, such as is described in reference to Fig. 4A as well as e.g., Figs. 15A and 15B. The adjustment of color point of the illumination device may be accomplished by replacing the sidewall insert 110sidewall insert, and/or the window 122, which similarly may be coated or impregnated with one or more wavelength converting materials.」（第７ページ第１０行〜同ページ第１７行）
　「側壁挿入体１１０sidewall insertが、プラスチック、セラミック、ガラスまたは他の適切な材料から作成されている場合に、必要であれば、側壁挿入体１１０sidewall insertは、例えば図４Ａ，１５Ａ，１５Ｂに示されているように、１つ以上の波長変換物質およびまたは高拡散反射コーティングが被覆または積層されてよい。照明装置の色度の調整は、同様に１つ以上の
波長変換物質が被覆または積層された
窓１２２を交換することによって行うようにしてもよい
ウ　引用文献Ｃには、次の記載がある。なお、翻訳文は、特表２０１０−５３０１２５号公報(以下「公表公報Ｃ」という。)記載の事項を参照して合議体が作成した。
（Ｃａ）　「The present invention relates to the field of general illumination, and more specifically, to illumination devices that use light sources as for example light emitting diodes (LEDs) or semiconductor lasers.」（第１ページ第４行〜同ページ第６行）
　「本発明は、全般照明の分野に関し、より詳細には、
光源として例えば発光ダイオード（ＬＥＤ）
を使用する照明装置に関する
（Ｃｂ）　「A solid state illumination device, in accordance with an embodiment of the present invention includes a semiconductor light emitter mounted on a base and surrounded by at least one sidewall.…At least 70% of light that is emitted from the chamber is emitted from the sidewalls of the chamber.」（第２ページ第８行〜同ページ第１４行）
　「本発明のある実施形態による固体素子照明装置は、基部上に載置され、少なくとも１つの側壁で囲われた半導体発光素子を含む。…前記
チャンバから放射された光線の少なくとも７０％が、前記チャンバの前記側壁から放射される
（Ｃｃ）　「The illumination device 100 includes at least one sidewall 120 that may have a circular, elliptical, triangular, rectangular, or polygon shape as viewed from the top and may be made of an optical transparent or translucent material, glass, plastic, and/or A1O2. The use of A1O2 as a material for the sidewall 120 is advantageous because of its high thermal conductivity, and high optical transmission properties. The A1O2 can be mixed into a plastic, but also used in pure form, as for example in a ceramic form (Alumina), or in crystalline form (Sapphire) For example, when the sidewall 120 has a circular or elliptical shape, a single continuous sidewall may be used.」（第６ページ第３行〜同ページ第１０行）
　「
照明装置１００は、少なくとも１つの側壁１２０を備える。側壁１２０は、
半透明の材料
で作製され得る。Ａ１Ｏ
２
は
側壁１２０を作製するための材料として使用することは好適である
Ａ１Ｏ
２
は
セラミック形態（アルミナ）
などの純粋な形態で使用することもできる。
（Ｃｄ）　「Sixth, in an embodiment in which the sidewall 120 and/or top element 122 include wavelength converting materials, and when the LED 102 produces a blue or UV pump light, the color or white point of the light output of the illumination device 100 is determined by components, e.g., sidewall 120 and top element 122 added in a late stage of the assembly process, after the wavelength and light output of the LED 102 is already measured or known.」（第１１ページ第７行〜同ページ第１１行）
　「第６に、
側壁１２０
が波長変換材料を含み
（２）　引用文献Ａに記載された発明
ア　引用文献Ａには、
（ア）　ＬＥＤチップを利用した発光装置に関するものであって（摘示（Ａａ））、当該発光装置を照明器具に配置するものであること（摘示（Ａｄ）【００４０】）、
（イ）　発光装置は、ＬＥＤチップ１、実装基板２、配光レンズ２１、リフレクタ３１及び色変換部４１が設けられていること（摘示（Ａｂ）【００２９】）、
（ウ）
ａ　ＬＥＤチップ１は青色光を放射するものであること（摘示（Ａｂ）【００３０】）、
ｂ　
（ａ）　配光レンズ２１は、光入射面が平面状で光出射面が凸曲面状に形成された平凸レンズであり、リフレクタ３１の光取り出し側の開口面を閉塞する形で配置されており、透光性材料（例えば、アクリル樹脂、ガラスなど）により形成されていること（摘示（Ａｄ）【００３８】）、
（ｂ）　配光レンズ２１は、ＬＥＤチップ１から放射される光の配光を制御するものであること（摘示（Ａｂ）【００２９】）、
ｃ　リフレクタ３１は、ＬＥＤチップ１から放射された光や色変換部４１から出射された光が配光レンズ２１側へ反射するもので（摘示（Ａｃ）【００３４】）、リフレクタ３１の材料はセラミックであること（摘示（Ａｃ）【００３５】）、
ｄ　リフレクタ３１の内側面側には、ＬＥＤチップ１から放射された光によって励起されてＬＥＤチップ１の発光色とは異なる色の光を放射する蛍光体を含有した透光性材料により形成された色変換部４１が保持されていること（摘示（Ａｃ）【００２９】）、
が記載されている。
　また、引用文献Ａにおいて、
（エ）　摘示（Ａｅ）より、上記「（イ）」において、
ａ　配光レンズ２１及びリフレクタ３１は、ＬＥＤチップ１を囲むように配置されていること、
ｂ　色変換部４１は、ＬＥＤチップ１及び配光レンズ２１の間に配置され、ＬＥＤチップ１及び配光レンズ２１とは接触していないこと、
が明らかである。
イ　これらのことから、引用文献Ａには次の発明（以下、「引用発明Ａ」という。）が記載されていると認められる。
　「ＬＥＤチップを利用した発光装置を配置した照明器具であって、
　発光装置は、ＬＥＤチップ１、実装基板２、配光レンズ２１、リフレクタ３１及び色変換部４１が設けられ、配光レンズ２１及びリフレクタ３１はＬＥＤチップ１を囲むように配置されており、
　ＬＥＤチップ１は、青色光を放射し、
　配光レンズ２１は、光入射面が平面状で光出射面が凸曲面状に形成された平凸レンズであり、リフレクタ３１の光取り出し側の開口面に配置され、透光性材料（例えば、アクリル樹脂、ガラスなど）により形成され、ＬＥＤチップ１から放射される光の配光を制御するものであり、
　リフレクタ３１は、セラミック材料からなり、ＬＥＤチップ１から放射された光や色変換部４１から出射された光を配光レンズ２１側へ反射するものであって、
　リフレクタ３１の内側面側に保持された色変換部４１は、ＬＥＤチップ１から放射された光によって励起されてＬＥＤチップ１の発光色とは異なる色の光を放射する蛍光体を含有した透光性材料により形成されており、
　色変換部４１は、ＬＥＤチップ１及び配光レンズ２１の間に配置され、ＬＥＤチップ１及び配光レンズ２１とは接触していない、
照明器具。」
（３）　対比・判断
ア　本願発明と引用発明Ａとを対比する。
（ア）　引用発明Ａの「照明器具」は、本願発明の「照明装置」に相当し、以下同様に、「ＬＥＤチップ１」は「ＬＥＤ光源」に、「配光レンズ２１」は「透過部分」に、「リフレクタ３１」は「反射部分」に、「青色光」は「光源光」に、「蛍光体」は「発光材料」に相当する。
（イ）　上記「（ア）」の相当関係より、
ａ　引用発明Ａの「発光装置」をなす、「ＬＥＤチップ１を囲むように配置され」た「配光レンズ２１及びリフレクタ３１」は、本願発明の「エンベロープ」に相当する。そして、引用発明Ａの「ＬＥＤチップを利用した発光装置を配置した照明器具」は、本願発明の「光源光を生成するＬＥＤ光源を囲むエンベロープを有する照明装置」に相当する。
ｂ　引用発明Ａの「発光装置を配置した照明器具」をなす「色変換部４１」が、「ＬＥＤチップ１から放射された光によって励起されてＬＥＤチップ１の発光色とは異なる色の光を放射する蛍光体を含有した透光性材料により形成」されることは、本願発明の「照明装置は、光源光の少なくとも一部を吸収し発光材料光を放射する発光材料を有」することに相当する。
ｃ　引用発明Ａの「ＬＥＤチップ１から放射された光や色変換部４１から出射された光を配光レンズ２１側へ反射するものであ」る「リフレクタ３１」は、本願発明の「光源光の少なくとも一部及び発光材料光の少なくとも一部を反射する反射部分」に相当し、また、引用発明Ａの「リフレクタ３１は、セラミック材料からな」ることは、本願発明の「反射部分は反射セラミック材料を有」することに相当する。
ｄ　引用発明Ａの「リフレクタ３１の光取り出し側の開口面に配置され、透光性材料（例えば、アクリル樹脂、ガラスなど）により形成され」た「配光レンズ２１」は、リフレクタ３１が「ＬＥＤチップ１から放射された光や色変換部４１から出射された光を配光レンズ２１側へ反射」した光を「光出射面」側に出射するものであるから、本願発明の「光源光の少なくとも一部及び発光材料光の少なくとも一部を透過し、これにより透過部分の下流に照明装置光を供給する当該透過部分」に相当する。
ｅ　引用発明Ａの「ＬＥＤチップ１から放射された光によって励起されてＬＥＤチップ１の発光色とは異なる色の光を放射する蛍光体を含有した透光性材料により形成され」た「色変換部４１」が「ＬＥＤチップ１及び配光レンズ２１の間に配置され、ＬＥＤチップ１及び配光レンズ２１とは接触していない」ことは、本願発明の「前記発光材料を有する透過中間窓は、前記ＬＥＤ光源の下流且つ前記透過部分の上流に、前記ＬＥＤ光源及び前記透過部分から離隔して配置され」ることに相当する。
イ　以上のことから、本願発明と引用発明Ａとの一致点及び相違点は、次のとおりである。
［一致点Ａ］
　「光源光を生成するＬＥＤ光源を囲むエンベロープを有する照明装置であって、
前記照明装置は、光源光の少なくとも一部を吸収し発光材料光を放射する発光材料を有し、
前記エンベロープは、光源光の少なくとも一部及び発光材料光の少なくとも一部を透過し、これにより透過部分の下流に照明装置光を供給する当該透過部分と、光源光の少なくとも一部及び発光材料光の少なくとも一部を反射する反射部分とを有し、前記反射部分は反射セラミック材料を有し、
　前記発光材料を有する透過中間窓は、前記ＬＥＤ光源の下流且つ前記透過部分の上流に、前記ＬＥＤ光源及び前記透過部分から離隔して配置された、
照明装置。」
［相違点Ａ］
　透過部分に関し、本願発明では、「透過セラミック材料を有し、」「半透明であ」る「透過部分」であるのに対し、引用発明Ａでは、「透光性材料（例えば、アクリル樹脂、ガラスなど）により形成」された「配光レンズ２１」である点。
ウ　判断
　相違点Ａについて検討する。
（ア）　摘示（Ｂａ）〜（Ｂｅ）より、引用文献Ｂには、「発光ダイオード（ＬＥＤ）を備えた照明装置において、ＬＥＤ１０２から生じた光が外部へと出る出力ポート１２０に、セラミックから製造される半透明の窓を設ける技術」が記載されているといえ、また、摘示（Ｃａ）〜（Ｃｄ）より、引用文献Ｃには、「発光ダイオード（ＬＥＤ）を使用する照明装置において、照明装置のチャンバから放射された光線が放射される半透明の側壁１２０を、セラミックで作製する技術」が記載されているといえる。
　そうすると、「ＬＥＤを用いた照明装置において、光線が透過する部分に、半透明のセラミック材料を用いること」は本願の優先権主張日の前における周知の技術であったと認められる。
（イ）　しかしながら、照明装置の透過部分を「半透明」とすることは、光源光を透過部分の内部で散乱させる（上記「第３　２（３）ウ（ア）ａ」参照）ことであるところ、引用発明Ａの「配光レンズ２１」は「ＬＥＤチップ１から放射される光の配光を制御する」ものであるから、当該「配光レンズ２１」を「半透明」とすることには明らかに阻害要因があるというべきである。
　よって、引用発明Ａに上記周知の技術を適用して上記相違点Ａに係る本願発明の構成に想到することは当業者にとって容易とはいえない。
（ウ）　以上より、本願発明は、引用発明Ａ、引用文献Ｂ及びＣの記載事項に基いて当業者が容易に想到し得るものとはいえない。
（４）　小括 
　上記「（３）ウ」のとおり、本願発明は、引用発明Ａ、引用文献Ｂ及びＣの記載事項に基いて当業者が容易に想到し得るものとはいえなくなった。また、本願の請求項２〜１０に係る発明は、本願発明をさらに限定したものであるから、本願発明と同様に、当業者が引用発明Ａ、引用文献Ｂ及びＣの記載事項に基いて容易に発明をすることができたものとはいえなくなった。
　そうすると、もはや、当審拒絶理由によって本願を拒絶することはできない。
３　当審拒絶理由１（理由Ａについて）及び当審拒絶理由２の判断
　平成２９年２月２１日に提出された手続補正書により補正された特許請求の範囲の請求項１〜１０により、当審拒絶理由１の理由Ａ及び当審拒絶理由２は解消した。
第５　むすび
　以上のとおり、原査定の理由及び当審拒絶理由１及び２によっては、本願を拒絶することはできない。
　また、他に本願を拒絶すべき理由を発見しない。
　よって結論のとおり審決する。